(57)【要約】【課題】  結婚式や披露宴などのイベントに関連した、準備から後の処理までを統合的に補助し、主催者の負担を軽減することのできる、イベント管理システムを提供すること。【解決手段】  結婚式及び／又は披露宴を含むイベントの開催に係る作業の補助を行う、イベント管理サーバ装置１と、イベントの主催者が利用するユーザ端末２と、がネットワークを介して通信可能に構成されるイベント管理システムであって、イベントに関する情報を管理するイベント管理手段１０１と、ゲストに関する情報を管理するゲスト管理手段１０３と、ゲストより授与した金額及び／又は贈答品に関する情報の管理を行う贈与／返礼管理手段１０４と、を有することを特徴とする。【選択図】図１
2019096091.tif 000002
【特許請求の範囲】
【請求項１】
結婚式及び／又は披露宴を含むイベントの開催に係る作業の補助を行う、イベント管理サーバ装置と、前記イベントの主催者が利用するユーザ端末と、がネットワークを介して通信可能に構成されるイベント管理システムであって、
前記イベント管理サーバ装置が、
前記イベントに関する情報を保持するイベント情報記憶部と、
前記イベントに招待するゲストに関する、少なくとも前記イベントに際して前記ゲストより前記主催者へ贈与された金額及び／又は贈答品を含む情報を保持するゲスト情報記憶部と、
前記イベントに関する情報を管理するイベント管理手段と、
前記ゲストに関する情報を管理するゲスト管理手段と、
前記ゲストより授与した金額及び／又は贈答品に関する情報の管理を行う贈与／返礼管理手段と、を有することを特徴とする、イベント管理システム。
【請求項２】
前記ゲスト情報記憶部が、前記ゲストに対する返礼要否と、返礼状況に関する情報を更に保持し、
前記贈与／返礼管理手段が、前記返礼要否及び前記返礼状況に関する情報を更に管理することを特徴とする、請求項１に記載のイベント管理システム。
【請求項３】
前記ゲストが使用する、前記イベント管理サーバ装置とネットワークを介して通信可能なゲスト端末を更に備え、
前記イベント管理サーバ装置が、前記ゲスト端末へと送信する、少なくとも前記ゲストの前記イベントへの出欠の可否に関する情報の入力依頼を含む招待状を記憶するＷｅｂ招待状記憶部と、
前記招待状の管理を行うＷｅｂ招待状管理手段を更に有し、
前記ゲスト管理手段が、前記ゲスト端末より送信される前記イベントへの出欠の可否に関する情報を更に管理することを特徴とする、請求項１又は請求項２に記載のイベント管理システム。
【請求項４】
前記招待状が、前記ゲストの食品に対するアレルギーの有無に関する情報の入力依頼を更に含み、
前記ゲスト管理手段が、前記ゲストの食品に対するアレルギーの有無に関する情報を更に管理することを特徴とする、請求項３に記載のイベント管理システム。
【請求項５】
前記招待状が、前記ゲストの種別ごとの、前記イベントの開催日における参加受付開始時刻及び／又は参加受付場所に関する情報を更に含むことを特徴とする、請求項３又は請求項４に記載のイベント管理システム。
【請求項６】
前記Ｗｅｂ招待状管理手段が、前記ユーザ端末より、前記招待状のデザインに関する設定の入力を受け付け、前記設定に基づいて前記招待状のデザインを決定することを特徴とする、請求項３から請求項５の何れかに記載のイベント管理システム。
【請求項７】
複数の前記ユーザ端末を備え、
前記イベント管理手段が、
前記イベントを一意に識別するためのイベントコードの発行と、
前記イベントコードの前記ユーザ端末への通知と、
他のユーザ端末からの前記イベントコードの入力の受付と、を行い、
前記イベントコードの入力に基づき、当該イベントコードによって特定される前記イベントの管理を前記他のユーザ端末に許可することを特徴とする、請求項１から請求項６の何れかに記載のイベント管理システム。
【請求項８】
結婚式及び／又は披露宴を含むイベントの開催に係る作業の補助を行うイベント管理サーバ装置であって、
前記イベントに関する情報を保持するイベント情報記憶部と、
前記イベントに招待するゲストに関する、少なくとも前記イベントに際して前記ゲストより前記イベントの主催者へ贈与された金額及び／又は贈答品を含む情報を保持するゲスト情報記憶部と、
前記イベントに関する情報を管理するイベント管理手段と、
前記ゲストに関する情報を管理するゲスト管理手段と、
前記ゲストより授与した金額及び／又は贈答品に関する情報の管理を行う贈与／返礼管理手段と、を有することを特徴とする、イベント管理サーバ装置。
【請求項９】
結婚式及び／又は披露宴を含むイベントの開催に係る作業の補助を行うイベント管理プログラムであって、
コンピュータ装置を、
前記イベントに関する情報を保持するイベント情報記憶部と、
前記イベントに招待するゲストに関する、少なくとも前記イベントに際して前記ゲストより前記イベントの主催者へ贈与された金額及び／又は贈答品を含む情報を保持するゲスト情報記憶部と、
前記イベントに関する情報を管理するイベント管理手段と、
前記ゲストに関する情報を管理するゲスト管理手段と、
前記ゲストより授与した金額及び／又は贈答品に関する情報の管理を行う贈与／返礼管理手段と、として動作させることを特徴とする、イベント管理プログラム。
【発明の詳細な説明】
【技術分野】
【０００１】
本発明は、結婚式や披露宴などのイベントの管理を行う、イベント管理システム、サーバ装置、及びプログラムに関する。
【背景技術】
【０００２】
結婚式や披露宴といったイベントを取り行う際には、事前に様々な準備が必要となる。これを新郎や新婦といった当事者がすべて行う場合、多大な労力や時間が必要とされる。
【０００３】
このような問題に対し、特許文献１には、イベントの開催日までに順次行う必要のある準備作業のスケジュールを作成し、イベントの準備の補助を行う、イベント情報提供装置が記載されている。
【先行技術文献】
【特許文献】
【０００４】
【特許文献１】特開２００５−１９０１１５号公報
【発明の概要】
【発明が解決しようとする課題】
【０００５】
結婚式や披露宴のようなイベントのために行う事前の準備に関しては、上述した特許文献１に記載されるシステムなどによる負担の軽減が期待されるが、このようなイベントにおいては、他にも様々な作業が必要となる。
【０００６】
例えば、結構式や披露宴に際しては、招いたゲストから新郎、新婦に対し、ご祝儀やお祝い品などが送られ、新郎、新婦はそれに対するお返しをする必要があり、そういった管理についても、慣れない作業であるために大きな負担が想定される。
【０００７】
そこで、本発明では、結婚式や披露宴などのイベントに関連した、準備から後の処理までを統合的に補助し、主催者の負担を軽減することのできる、イベント管理システムを提供することを課題とする。
【課題を解決するための手段】
【０００８】
上記課題を解決するために、本発明に係るイベント管理システムは、
結婚式及び／又は披露宴を含むイベントの開催に係る作業の補助を行う、イベント管理サーバ装置と、前記イベントの主催者が利用するユーザ端末と、がネットワークを介して通信可能に構成されるイベント管理システムであって、
前記イベント管理サーバ装置が、
前記イベントに関する情報を保持するイベント情報記憶部と、
前記イベントに招待するゲストに関する、少なくとも前記イベントに際して前記ゲストより前記主催者へ贈与された金額及び／又は贈答品を含む情報を保持するゲスト情報記憶部と、
前記イベントに関する情報を管理するイベント管理手段と、
前記ゲストに関する情報を管理するゲスト管理手段と、
前記ゲストより授与した金額及び／又は贈答品に関する情報の管理を行う贈与／返礼管理手段と、を有することを特徴とする。
【０００９】
このように、結婚式や披露宴の開催に係る情報の管理に加え、ゲストからのご祝儀やお祝い品に関する情報の管理を行うことで、イベントの終了後のお返しの管理までを補助することができる。
【００１０】
本発明の好ましい形態では、前記ゲスト情報記憶部が、前記ゲストに対する返礼要否と、返礼状況に関する情報を更に保持し、
前記贈与／返礼管理手段が、前記返礼要否及び前記返礼状況に関する情報を更に管理することを特徴とする。
これにより、ご祝儀やお祝い品へのお返しの管理をより確実に行うことができる。
【００１１】
本発明の好ましい形態では、前記ゲストが使用する、前記イベント管理サーバ装置とネットワークを介して通信可能なゲスト端末を更に備え、
前記イベント管理サーバ装置が、前記ゲスト端末へと送信する、少なくとも前記ゲストの前記イベントへの出欠の可否に関する情報の入力依頼を含む招待状を記憶するＷｅｂ招待状記憶部と、
前記招待状の管理を行うＷｅｂ招待状管理手段を更に有し、
前記ゲスト管理手段が、前記ゲスト端末より送信される前記イベントへの出欠の可否に関する情報を更に管理することを特徴とする。
これにより、ゲストの出欠の管理についても一括して行うことができる。
【００１２】
本発明の好ましい形態では、前記招待状が、前記ゲストの食品に対するアレルギーの有無に関する情報の入力依頼を更に含み、
前記ゲスト管理手段が、前記ゲストの食品に対するアレルギーの有無に関する情報を更に管理することを特徴とする。
これにより、披露宴で供する食事等に関して考慮する必要があるゲストの情報の管理も併せて行うことができる。
【００１３】
本発明の好ましい形態では、前記招待状が、前記ゲストの種別ごとの、前記イベントの開催日における参加受付開始時刻及び／又は参加受付場所に関する情報を更に含むことを特徴とする。
これにより、親族や友人といったゲストの種別ごとに参加受付の案内をすることができる。
【００１４】
本発明の好ましい形態では、前記Ｗｅｂ招待状管理手段が、前記ユーザ端末より、前記招待状のデザインに関する設定の入力を受け付け、前記設定に基づいて前記招待状のデザインを決定することを特徴とする。
これにより、ユーザは自身の好みのデザインのＷｅｂ招待状を作成することができる。
【００１５】
本発明の好ましい形態では、前記イベント管理システムが複数の前記ユーザ端末を備え、
前記イベント管理手段が、
前記イベントを一意に識別するためのイベントコードの発行と、
前記イベントコードの前記ユーザ端末への通知と、
他のユーザ端末からの前記イベントコードの入力の受付と、を行い、
前記イベントコードの入力に基づき、当該イベントコードによって特定される前記イベントの管理を前記他のユーザ端末に許可することを特徴とする。
これにより、新郎と新婦、更には、その両親や友人など、多数のユーザによってイベントの共同管理を行うことができる。
【００１６】
本発明に係るイベント管理サーバ装置は、
結婚式及び／又は披露宴を含むイベントの開催に係る作業の補助を行うイベント管理サーバ装置であって、
前記イベントに関する情報を保持するイベント情報記憶部と、
前記イベントに招待するゲストに関する、少なくとも前記イベントに際して前記ゲストより前記イベントの主催者へ贈与された金額及び／又は贈答品を含む情報を保持するゲスト情報記憶部と、
前記イベントに関する情報を管理するイベント管理手段と、
前記ゲストに関する情報を管理するゲスト管理手段と、
前記ゲストより授与した金額及び／又は贈答品に関する情報の管理を行う贈与／返礼管理手段と、を有することを特徴とする。
【００１７】
本発明に係るイベント管理プログラムは、
結婚式及び／又は披露宴を含むイベントの開催に係る作業の補助を行うイベント管理プログラムであって、
コンピュータ装置を、
前記イベントに関する情報を保持するイベント情報記憶部と、
前記イベントに招待するゲストに関する、少なくとも前記イベントに際して前記ゲストより前記イベントの主催者へ贈与された金額及び／又は贈答品を含む情報を保持するゲスト情報記憶部と、
前記イベントに関する情報を管理するイベント管理手段と、
前記ゲストに関する情報を管理するゲスト管理手段と、
前記ゲストより授与した金額及び／又は贈答品に関する情報の管理を行う贈与／返礼管理手段と、として動作させることを特徴とする。
【発明の効果】
【００１８】
結婚式や披露宴などのイベントの開催までの管理のみでなく、ゲストへの返礼に必要な情報の管理までについて、主催者の負担を軽減することのできるイベント管理システムを提供することができる。
【図面の簡単な説明】
【００１９】
【図１】本発明の一実施形態に係るイベント管理システムの構成図である。
【図２】本発明の一実施形態に係るイベント管理サーバ装置の機能ブロック図である。
【図３】本発明の一実施形態においてイベント情報記憶部が保持する情報を例示する図である。
【図４】本発明の一実施形態におけるイベントの受付時間・場所に関する情報の一例を示す図である。
【図５】本発明の一実施形態におけるゲスト情報記憶部が保持する情報の一例を示す図である。
【図６】本発明の一実施形態におけるＷｅｂ招待状の表示画面の一例を示す図である。
【図７】本発明の一実施形態におけるＷｅｂ招待状の表示画面の一例を示す図である。
【発明を実施するための形態】
【００２０】
以下、本発明の一実施形態について、図面を参照して詳細に説明する。本実施形態においては、結婚式や披露宴などのイベントの管理を行う、イベント管理システムを示す。図１は、本実施形態にかかるイベント管理システムの構成図である。ここに示すように、本実施形態にかかるイベント管理システムは、イベントの管理を行うイベント管理サーバ装置１と、イベントの主催者が利用するユーザ端末２ａ，２ｂ（以下、特に区別の必要がない場合、単にユーザ端末２と呼称する。）と、イベントに招待されるゲストが利用するゲスト端末３ａ−３ｆ（以下、特に区別の必要がない場合、単にゲスト端末３と呼称する。）と、がネットワークＮＷを介して通信可能に構成される。
【００２１】
ここで、先に述べた通り、本実施形態におけるイベント管理システムにおいては、結婚式や披露宴などのイベントの管理を行うため、ユーザ端末２を利用するイベントの主催者は、主には新郎新婦となる。また、後述するように、新郎新婦の親族や友人、あるいは式場の関係者など、委託をされた者が新郎新婦に加わって、あるいは代わって、ユーザ端末２を用いた管理作業を行うことができる。また、ゲスト端末３を利用するゲストは、新郎新婦の親族や友人、職場の上司や同僚といった、結婚式や披露宴の招待客である。
【００２２】
図２に、イベント管理サーバ装置１の機能ブロック図を示す。ここに示すように、イベント管理サーバ装置１は、ユーザに関する情報を記憶するユーザ情報記憶部１０５、イベントに関する情報を記憶するイベント情報記憶部１０６とその管理を行うイベント管理手段１０１、ゲスト端末３によって閲覧されるＷｅｂ招待状のデザインなどに関する情報を記憶するＷｅｂ招待状記憶部１０７とその管理を行うＷｅｂ招待状管理手段１０２、ゲストに関する情報を記憶するゲスト情報記憶部１０８とその管理を行うゲスト管理手段１０３、そして、ゲストから主催者へと送られたお祝い金やお祝い品、それに対する主催者からゲストへの返礼に関する管理を行う贈与／返礼管理手段１０４を備える。
【００２３】
イベント管理サーバ装置１としては、ＣＰＵ（Ｃｅｎｔｒａｌ  Ｐｒｏｃｅｓｓｉｎｇ  Ｕｎｉｔ）などの演算装置、ＲＡＭ（Ｒａｎｄｏｍ  Ａｃｃｅｓｓ  Ｍｅｍｏｒｙ）などの主記憶装置、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）、フラッシュメモリなどの補助記憶装置、ネットワークＮＷへの接続手段を含む入出力手段等を備えた、一般的なサーバ機器などのコンピュータ装置を用いることができる。より詳細には、補助記憶装置に予め、あるいは管理者の操作などによって、上述したような各手段としてイベント管理サーバ装置１を動作させるためのプログラムを格納しておき、それらのプログラムを主記憶装置上に展開して演算装置による演算を行い、各管理手段の制御などを行うことで、コンピュータ装置を本実施形態に係るイベント管理システムにおけるイベント管理サーバ装置１として利用することができる。
【００２４】
ユーザ端末２、ゲスト端末３としては、ＣＰＵなどの演算装置、ＲＡＭなどの主記憶装置、ＨＤＤやＳＳＤ、フラッシュメモリなどの補助記憶装置、ネットワークＮＷへの接続手段を含む入出力手段等を備えた、一般的なコンピュータ装置を用いることができる。例えば、パーソナルコンピュータやタブレット端末、スマートフォンなどを好適に用いることができる。
【００２５】
ユーザ端末２やゲスト端末３による本実施形態にかかるイベント管理システムの利用方法としては、イベント管理サーバ装置１がウェブサーバプログラムを、ユーザ端末２やゲスト端末３がウェブブラウザプログラムを、それぞれ備え、それらを実行することで、ＨＴＴＰ（ＨｙｐｅｒＴｅｘｔ  Ｔｒａｎｓｆｅｒ  Ｐｒｏｔｏｃｏｌ）、あるいは、ＨＴＴＰＳ（ＨｙｐｅｒＴｅｘｔ  Ｔｒａｎｓｆｅｒ  Ｐｒｏｔｏｃｏｌ  Ｓｅｃｕｒｅ）といったプロトコルによる通信を行い、ユーザやゲストがウェブブラウザを介して、イベント管理サーバ装置１の備える各手段によって提供される機能を利用可能に構成される。また、ユーザ端末２やゲスト端末３に本実施形態にかかるイベント管理システムを利用するための専用のプログラムを備え、それによってイベント管理サーバ装置１との通信を行い、各手段によって提供される機能をするような構成としてもよい。
【００２６】
本実施形態にかかるイベント管理システムを利用するユーザは、まず、ユーザ端末２によるユーザ登録を行う。これは、例えば、イベント管理サーバ装置１がアカウント名などの必要な情報の入力を受け付け、それをユーザ情報としてユーザ情報記憶部１０５に記録する、といった方法で行えばよい。以後、ユーザが本実施形態にかかるイベント管理システムを利用する際には、ユーザ情報記憶部１０５の保持する情報に基づいたログイン処理が必要とされる。
【００２７】
ログインを行ったユーザは、管理対象とするイベントを作成することができる。図３は、イベント情報記憶部１０６の保持する、イベントに関する情報の一例を示す図である。ここに示すように、イベント情報記憶部１０６には、まず、イベントを一意に識別可能なイベントコードが含まれる。これは、ユーザによるイベントの作成依頼に応じて、イベント管理手段１０１がランダムな文字列を生成するような構成としてもよいし、ユーザ端末２によるユーザからの指定を受け付けるような構成としてもよい。
【００２８】
ユーザは、イベントコードを他のユーザに電子メールなどの任意の方法によって伝えることで、イベントの共同管理を依頼することができる。例えば、新郎がイベントの作成を行い、生成されたイベントコードを新婦や他の協力者へと知らせることで、イベントの共同管理を申し出る。共同管理の依頼を受けたユーザは、自身の所有する端末等をユーザ端末２として用い、受け取ったイベントコードを入力してイベント管理サーバ装置１へと送信することで、イベントを管理するユーザに加わり、イベントや招待するゲストに関する情報の管理等を行うことができる。
【００２９】
イベントコードの他に、イベント情報記憶部１０６は、イベントに関する種々の情報を保持する。例えば、図３に示したように、イベントが「挙式」なのか「披露宴」なのか、といったイベントの種類や、開催日の決定状況、開催日、開始時刻、終了時刻といったイベントの日程に関する情報、「式場」のような開催場所のタイトルや、開催場所の名称、開催場所のＷｅｂサイトのＵＲＬ、住所、メールアドレス、電話番号、最寄駅といった、開催場所に関する情報などを含む。このような情報はユーザによるユーザ端末２を用いた入力によって受け付ける構成としてもよいし、会場に関する情報を保持する記憶部（図示せず）を備える構成とし、その情報から選択可能な構成、あるいは、それに紐づけるような構成としてもよい。
【００３０】
ユーザは、イベントに対し、ゲストの種別ごとに受付時間や場所に関する情報の設定を行うことができる。図４に、ゲストの種別ごとの受付時間や場所に関する情報の設定情報を例示する。ここでのゲストの種別は、例えば、「親族」、「友人」、「職場」といったように、主催者である新郎新婦との関係性によって分けることができる。また、ゲストの種別はユーザによって任意に設定可能なものであり、先に挙げた例に限らず、「両親・兄弟」と「その他親族」といったように、より詳細な、あるいは簡略なグループ分けを行うことができる。
【００３１】
そして、それぞれのゲストの種別ごとに、対象としているイベントのイベントコードと、ゲストの種別に関する説明、受付場所、受付の開始時刻と終了時刻、といった情報が記録される。このように、ゲストの種別ごとに受付に関する情報を設定可能とすることで、結婚式のように、親族、受付を依頼する友人、その他の友人や職場の同僚、といったように、ゲストごとに異なる受付時間や場所の設定が必要とされるイベントの管理に対応することができる。
【００３２】
ユーザは、イベントに招待するゲストに関する情報の管理を行うことができる。図５に、ゲスト情報記憶部１０８の保持するゲストに関する情報を例示する。ここに示すように、ゲスト情報記憶部１０８は、ゲストを招待するイベントのイベントコード、ゲストの氏名やそのふりがな、新郎新婦との関係性などの基本的な情報に加え、イベント当日に参加する（した）「ゲスト」であるのか、不参加ではあるがお祝いをもらった「お祝いのみ」のゲストであるのかといった情報が含まれる。また、ゲストへのＷｅｂ招待状に関して、各ゲストに個別のＵＲＬや、個別のメッセージ、そして、ゲストのイベントへの出欠に関する情報が含まれる。これらの情報は、ゲスト管理手段１０３により、ユーザ端末２からの操作を受けることによって管理される。
【００３３】
更に、ゲストの情報として、ゲストからもらったご祝儀の金額やお祝い品、それに対するお返しの要否、お返しが必要である場合のお返しの実施状況やお返しで渡した品など、ゲストからの贈与やそれに対する返礼に関する情報が含まれる。これらの情報は、贈与／返礼管理手段１０４により、ユーザ端末２からの操作を受けることによって管理される。
【００３４】
続いて、Ｗｅｂ招待状管理手段１０２によるＷｅｂ招待状の作成について説明する。Ｗｅｂ招待状は、ユーザ情報記憶部１０５の保持するユーザに関する情報や、イベント管理手段１０１によってユーザ端末２からの入力等を受け、イベント情報記憶部１０６に記録されたイベントに関する情報、ゲスト管理手段１０３によってユーザ端末２からの入力を受け付け、ゲスト情報記憶部１０８に記録されたゲストに関する情報などを参照し、生成される。図６及び図７に、本実施形態にかかるイベント管理システムによって作成されるＷｅｂ招待状の一例を示す。
【００３５】
まず、図６に示すように、イベントの主催者である新郎新婦の氏名、Ｗｅｂ招待状の宛先であるゲストの氏名、イベントの開催にあたってのゲストへのメッセージ、イベントの日時や場所、といった情報が、Ｗｅｂ招待状に含まれる。また、図７に示すように、ゲストの種類ごとの受付時間や場所に関する情報、ゲストに対し、アレルギーやその他の要望などの有無についての入力の依頼が含まれる。
【００３６】
このような内容の含まれるＷｅｂ招待状は、まずテンプレートを用いてＷｅｂ招待状管理手段１０２によって生成され、ユーザによるユーザ端末２の操作による設定の入力を受け、Ｗｅｂ招待状に表示する画像の選択や、使用する文字のフォントや線の色、太さといったデザインに関する変更、メッセージの変更などが行われ、Ｗｅｂ招待状記憶部１０７へと記録される。ここでのフォントや線の色などのデザインの変更は、例えば、Ｗｅｂ招待状に含まれるボタンや枠線といったそれぞれの部品について、予め複数のＣＳＳ（Ｃａｓｃａｄｉｎｇ  Ｓｔｙｌｅ  Ｓｈｅｅｔｓ）を用意しておき、ユーザの選択に基づいて、各部品に使用するＣＳＳを決定する、といった方法で行うことができる。あるいは、ＣＳＳに含まれる線の太さや色といったパラメータを、ユーザの入力に基づいて変更するような構成としてもよい。また、画像については、使用可能な画像を予め用意しておき、ユーザの選択に基づいて使用する画像を決定すればよく、更にユーザが自身で用意した画像のイベント管理サーバ装置１へのアップロードを受け付けるような構成としてもよい。
【００３７】
ユーザは、電子メール等の任意の手段によってゲストにＷｅｂ招待状を参照するためのＵＲＬの通知を行う。ゲストは、通知されたＵＲＬに基づいてＷｅｂ招待状を参照し、これに対してイベントへの出欠や、アレルギーの有無などの回答を行う。ゲストからの回答は、先に図５を参照して説明したように、ゲスト情報記憶部１０８へと記録される。
【００３８】
以上のように、本実施形態に係るイベント情報管理システムによれば、結婚式や披露宴などのイベントの開催に関して、Ｗｅｂ招待状の作成やゲストの出欠の管理といった事前の準備に加え、ゲストからもらったお祝いの管理や、それに対する返礼の管理までを統合的に行うことができる。
【符号の説明】
【００３９】
１  イベント管理サーバ装置
１０１  イベント管理手段
１０２  Ｗｅｂ招待状管理手段
１０３  ゲスト管理手段
１０４  贈与／返礼管理手段
１０５  ユーザ情報記憶部
１０６  イベント情報記憶部
１０７  Ｗｅｂ招待状記憶部
１０８  ゲスト情報記憶部
２  ユーザ端末
３  ゲスト端末
ＮＷ  ネットワーク
【図１】
2019096091.tif 000003
【図２】
2019096091.tif 000004
【図３】
2019096091.tif 000005
【図４】
2019096091.tif 000006
【図５】
2019096091.tif 000007
【図６】
2019096091.tif 000008
【図７】
2019096091.tif 000009